(57)【要約】【課題】床だけでなく、垂直な位置や高い位置にある壁や天井の表面の床材の剥離にも使用できるようにする。さらに装置を安価にする。【解決手段】油圧ショベル２のアーム２ａ先端に左右方向の軸周りに揺動自在に取付けられるブラケット３と、ブラケット３に上下方向の軸周りに回動自在に取付けられたフレーム４と、フレーム４に弾性部材１１を介して取付けられ、油圧ショベル２から送られる圧油により駆動される起振器５と、起振器により振動させられる剥離刃６とを備えている。【選択図】図３
2004156371.tif 000002
【特許請求の範囲】
【請求項１】
油圧ショベルのアーム先端に左右方向の軸周りに揺動自在に取付けられるブラケットと、
ブラケットに上下方向の軸周りに回動自在に取付けられたフレームと、
フレームに弾性部材を介して取付けられ、油圧ショベルから送られる圧油により駆動される起振器と、
起振器により振動させられる剥離刃とを備えている、床材剥離装置。
【請求項２】
フレームのブラケットに対する回動量を一定範囲に規制する手段を設けた、請求項１記載の床材剥離装置。
【請求項３】
フレームに、剥離刃の変位を規制するガイド手段が設けられている、請求項１または２記載の床材剥離装置。
【請求項４】
フレームが、ブラケットに取付けられた上壁、上壁の左右両端から下方に突出した左右側壁とを有し、
起振器が、フレームの左右側壁間に配され、
剥離刃が、起振器の下方に取付けられ、
規制手段が、起振器の下方におけるフレームの左右側壁間に跨る支持部材と、支持部材に取付けられ、支持部材と共同して剥離刃を前後から挟むガイド部材とよりなる、請求項３記載の床材剥離装置。
【発明の詳細な説明】
【０００１】
【発明の属する技術分野】
本発明は、床材を剥離する床材剥離装置に関する。
【０００２】
なお、本明細書において床材とは水平面にある床だけでなく、壁面および天井の表面にあるものを含み、ビニルシート、タイル、木質材など、種々の材質を含むものとする。さらに、床材とは、道路の表面に塗布された塗料やセメント、樹脂、泥土などの付着物も含むものとする。
【０００３】
また、本明細書において上下および前後は図２を基準とするものとし、図２の左側を上、右側を下、上側を前、下側を後という。「左右」とは図３における下側を左、上側を右という。
【０００４】
【従来の技術】
従来の床材剥離装置として、作業車体と、左右方向の軸周りに揺動自在に作業車体に取付けられた取付板と、前後方向の軸周りに揺動自在に取付板に取付けられたブラケットと、左右方向の軸周りに揺動自在にブラケットに取付けられた刃体付き刃体ケーシングと、刃体を振動等させる駆動装置と、刃体ケーシングを揺動させる油圧シリンダとを備えたものがある（特許文献参照）。
【０００５】
この床材剥離装置では、刃体ケーシングを油圧シリンダによって揺動させて刃体ケーシングの刃体を適切な角度で床面に接触させる。そして、刃体を駆動装置で振動等させながら作業車体を前進させて床材を剥離する。
【０００６】
【特許文献】
特開平１１−８１６９８号公報（請求項１、００１２、００１３段落参照）
【０００７】
【発明が解決しようとする課題】
上記、従来の床材剥離装置は、水平面に位置する床を剥離するものであり、垂直な位置や高い位置にある壁や天井の表面の床材の剥離には使用することができない。また、この床材剥離装置は作業車体を含む専用機となっているために装置が高価になるという問題もある。
【０００８】
本発明は、上記問題を解決することを課題とし、壁や天井の表面の床材も剥離することができかつ安価な床材剥離装置を提供することを目的とする。
【０００９】
また、油圧ショベルに装着して使用するアタッチメントとして構成し、ブレーカや破砕機、カッター等他の種類のアタッチメントと現場で簡単に取替えでき、油圧ショベルの利用効率を高めることも目的とする。
【００１０】
【課題を解決するための手段および発明の効果】
上記床材剥離装置は、油圧ショベルのアーム先端に左右方向の軸周りに揺動自在に取付けられるブラケットと、ブラケットに上下方向の軸周りに回動自在に取付けられたフレームと、フレームに弾性部材を介して取付けられ、油圧ショベルから送られる圧油により駆動される起振器と、起振器により振動させられる剥離刃とを備えているものである。
【００１１】
この床材剥離装置は、油圧ショベルのアーム先端に取付けて使用するので、床のみならず壁や天井の床材をも剥離することができる。また、汎用機の油圧ショベルに取付けて使用するので、専用の作業車体が不要となり、装置が小型で安価になる。さらに、油圧ショベルのアームおよびブームの操作により床材剥離装置を移動させることができるので、床材を剥離する際に作業車体を連続的に移動させる必要がなく、作業車体を移動させるスペースのない狭い場所においても作業が可能となる。なお、アームおよびブームを操作する代わりに作業車体を移動させることにより作業を行なうこともできる。
【００１２】
上記床材剥離装置において、剥離刃を、左右方向の軸周りに一定範囲で揺動自在とすることもある。また、上記床材剥離装置において上下方向の軸周りに回動自在とすることもある。
【００１３】
こうすれば、例えば、床面に凹凸があったり、床面がうねっているような場合でも油圧ショベルのアームをその都度調節しなくても剥離刃を床に正しく接触させることができる。
【００１４】
また、フレームに、剥離刃の変位、特に前後方向の変位を規制するガイド手段が設けられている。
【００１５】
この場合、剥離刃を床等に押し付けた際に、剥離刃が上下方向に正確に振動し、床材を効率よく剥離することができる。また、過度な変位を抑えることができ、弾性部材や接続部の破損を減少させる。
【００１６】
特に、フレームが、ブラケットに取付けられた上壁、上壁の左右両端から下方に突出した左右側壁とを有し、起振器がフレームの左右側壁間に配され、剥離刃が起振器の下方に取付けられ、規制手段が、起振器の下方におけるフレームの左右側壁間に跨る支持部材と、支持部材に取付けられて支持部材と共同して剥離刃を前後から挟むガイド部材とよりなることが好ましい。
【００１７】
これにより、規制手段の構成が簡便なものとなるからである。また、支持部材およびガイド部材によって剥離刃が長さの途中で支持されるので、ガイド手段を設けない場合に比して剥離刃の有効長さを長くすることが可能になる。剥離刃の有効長さが長くなれば、狭い空間の奥であっても床材を剥離することができる。
【００１８】
【発明の実施の形態】
以下、図面を参照して本発明の実施形態について説明する。
【００１９】
図１は、本発明の一実施形態の床材剥離装置１が取付けられた油圧ショベル２を示したものである。
【００２０】
床材剥離装置１は、油圧ショベル２のブーム２ｂに接続されたアーム２ａ先端にアームピン７、リンクピン９によって取付けられたブラケット３と、ピン１０によってブラケット３に対して回動自在に取付けられたフレーム４と、フレーム４に弾性部材１１を介して取付けられ、油圧ショベル２から送られる圧油により駆動される起振器５と、起振器５により振動させられる剥離刃６とを備えている。
【００２１】
図４に示したように、ブラケット３は、円板状板３ａと、その上方に垂直に突出した２枚の取付板３ｂとを備えている。
【００２２】
ブラケット３は、以下のようにして油圧ショベル２に取付けられる。取付板３ｂの上部には、円形孔３ｃと、円形孔３ｄがあけられている。円形孔３ｃには、アームピン７が油圧ショベル２のアーム２ａ先端を貫通して通されている。一方、円形孔３ｄには、アーム２ａに取付けられた油圧シリンダ８のロッド８ａ先端に取付けられたリンク１４を貫通するリンクピン９が通されている。このようにして、両ピン７、９によりブラケット３が油圧ショベル２のアーム先端にピン７回りに回転自在に取付けられる。なお、アームピン７およびリンクピン９と孔３ｃ、３ｄとの間には弾性材料製のブッシュなどを介在させて振動や騒音を防止することが好ましい。
【００２３】
ブラケット３には以下のようにしてフレーム４が取付けられる。円板状板３ａの中央には、フレーム４をブラケット３に取付けるピン１０が入る貫通孔３ｆがあけられている。また、円板状板３ａの外周近くには下方に突出するピン３ｅが取付けられている。ピン３ｅは、後述の長孔４ｅと係合してフレーム４をブラケット３に取付けた際にフレーム４がブラケット３に対してピン１０回りに一定範囲内で揺動するように回転を規制する。なお、ブラケット３とフレーム４との間に弾性材料等からなる振動伝達や騒音発生防止部材を配することが好ましい。
【００２４】
ブラケット３に取付けられたフレーム４は、前面から見て下方が開口した溝状をなす本体４ａと、本体４ａの上部に取り付けられた円板状板４ｂと、本体４ａの左右側壁の下部に跨って設けられた剥離刃支持部材４ｃとを備えている。
【００２５】
円板状板４ｂの中央には、ピン１０が差し入れられる貫通孔４ｄがあけられている。また、円板状板４ｂには周方向に伸びる長孔４ｅがあけられている。
【００２６】
ピン１０は、円板状板４ｂの下面にボルト止めされた大径部１０ａと、円板状板３ａ、４ｂの貫通孔３ｆ、４ｄを貫通する中径部１０ｂと、ねじが形成された小径部１０ｃとよりなり、ピン１０の上端はナットにて抜け止めされる。中径部１０ｂの長さは両円板状板３ａ，４ｂを重ねた厚みよりわずかに長く、ブラケット３に取付けられたフレーム４がピン１０回りに揺動できる。
【００２７】
長孔４ｅには、ピン３ｅの前端部が差し入れられ、ピン３ｅの可動範囲内においてのみフレーム４がブラケット３に対して回転できるように制限している。
【００２８】
フレーム本体４ａの左右側壁間に配された起振器５は、左右に並んだ二つの偏心ロータ５ａを備え、油圧モータによってそれぞれ逆方向に回転し上下の振動を発生させる公知の構成を有するものである。
【００２９】
起振器５の下面には、剥離刃取付板５ｂが設けられている。剥離刃６は、取付板５ｂにボルト止めされる基部６ａと、先端が他部に比して幅広となった刃支持部６ｂと、刃支持部６ｂの先端にボルト止めされた刃体６ｃとを備えている。刃体６ｃは、剥離する床材の種類などに応じて交換可能である。
【００３０】
剥離刃６のガイド手段は、以下のように構成されている。フレーム４の支持部材４ｃの中央部には、コ字状支持部材４ｆがボルト止めされ、両支持部材４ｃ、４ｆで形成される空間４ｇ内に剥離刃６の刃支持部６ｂが間隙を有する状態で挿入されている。また、空間４ｇの剥離刃と対向する内面には滑動部材１２、１３を介在させて剥離刃６が空間内を円滑に上下動し、フレーム４の直接的な振動伝達を防ぐようになっている。なお、剥離刃６と滑動部材１２、１３との摩耗を防止するために剥離刃６と滑動部材１２、１３との間に潤滑材を供給する潤滑剤供給装置を設けることが好ましい。
【００３１】
上記の構成を有する床材剥離装置１は、油圧ショベル２のアーム２ａ先端に装着されて以下のように用いられる。
【００３２】
まず、図１および図２に示すように、剥離刃６と床Ｆ表面とが適当な角度をなすようにアーム２ａおよびブーム２ｂを動かすとともに、シリンダ８を伸縮させて剥離しようとする床Ｆに対する床材剥離装置１の傾きを調整する。
【００３３】
傾き調整終了後、剥離刃６先端を床Ｆ表面に押し付け、起振器５を駆動して剥離刃６を振動させつつアーム２ａおよびブーム２ｂを操作して床Ｆに対する床材剥離装置１の傾きを保ったまま床材剥離装置１を手前方向に移動させて床材Ｆａを剥離する。このさい、床Ｆと剥離刃６との接触部分は、手前側となり、油圧ショベル２の操作者から作業状態や作業位置が容易に確認できる。
【００３４】
作業場所が広く、油圧ショベル２を移動させることができる場合は、油圧ショベル２を移動させてもよい。この方が剥離装置１の床に対する傾きを一定に保ちやすいからである。
【００３５】
剥離する床Ｆに凹凸や歪んで波うっている箇所があっても、ブラケット３とフレーム４で上下方向の軸周りの回動を、またアーム２ａとブラケット３間で左右方向の軸周りの回動を一定量まで許容できる構成としたので、油圧ショベル２に無理な荷重がかからないようになっている。
【００３６】
天井や壁の床材を剥離する際は、アーム２ａ、ブーム２ｂおよび油圧シリンダ８を操作して床材剥離装置１が天井や壁と適当な位置や傾きをなすように調整し、上記と同様にして床材を剥離する。なお、剥離装置１は、作業の現場や内容に応じてアーム２、リンク１４との取り付け方向を逆にして使用することもある。
【００３７】
また、本発明は上記実施形態のものには限定されず、各部構成は適宜変更自在である。例えば、剥離作業の際に、床Ｆと接触して剥離装置１の床Ｆに対する傾きを一定に保つ突部を、フレーム４あるいは起振器５等の底部に設けることもある。突部はフレーム４等と一体に設けてもよいし、着脱自在としてもよい。
【００３８】
上記実施形態の剥離装置１では、剥離刃６が起振器５にボルトにより取付けられているが、剥離刃６は必ずしも起振器５に取付ける必要はない。起振器５に剥離刃６が取付けられていない場合は、起振器５が振動すると起振器５によって剥離刃６が打撃されて振動する。この場合、剥離刃６が左右方向に振れるのを防止するため、滑動部材を溝型として滑動部材の左右側壁が剥離刃の左右に位置するようにするとよい。こうすれば、剥離刃６が左右方向に振れると滑動部材に当接して所定量以上左右方向に振れなくなり、振動が剥離刃６に効率よく伝達される。
【図面の簡単な説明】
【図１】本発明の一実施形態の床材剥離装置を油圧ショベルに装着した状態の側面図である。
【図２】同床材剥離装置の側面図である。
【図３】同床材剥離装置の正面図である。
【図４】同床材剥離装置の要部の分解斜視図である。
【符号の説明】
１      床材剥離装置
２      油圧ショベル
２ａ    アーム
２ｂ    ブーム
３      ブラケット
３ａ    円板状板
３ｂ    アーム取付板
３ｃ    円形孔
３ｄ    長孔
３ｅ    ピン
３ｆ    貫通孔
４      フレーム
４ａ    フレーム本体
４ｂ    円板状板
４ｃ    支持部材
４ｄ    貫通孔
４ｅ    長孔
４ｆ    コ字状支持部材（ガイド部材）
４ｇ    空間
５      起振器
５ａ    偏心ロータ
５ｂ    剥離刃取付板
６      剥離刃
６ａ    基部
６ｂ    刃支持部
６ｃ    刃体
７      アームピン
８      油圧シリンダ
８ａ    ロッド
９      リンクピン
１０    ピン
１０ａ  大径部
１０ｂ  中径部
１０ｃ  小径部
１１    弾性部材
１２    滑動部材
１３    滑動部材
１４    リンク
【図１】
2004156371.tif 000003
【図２】
2004156371.tif 000004
【図３】
2004156371.tif 000005
【図４】
2004156371.tif 000006